(57)【特許請求の範囲】
【請求項１】
フレキシブル基板が接続される電気コネクタがハウジングとハウジングに対し開閉可能な可動部材との間に該フレキシブル基板を収容する収容空間を有し、
板厚方向に屈曲した金属帯状部材製の端子が上記収容空間内に配置され、フレキシブル基板と弾性接触するためにフレキシブル基板に向け上記金属帯状部材の板厚方向でＶ字状に突出して屈曲した形状の接触部と、該接触部から後端に向けフレキシブル基板より離れる方向に傾斜した誘導部を有し、上記可動部材に形成された溝部に上記誘導部の上記後端が収容され、上記収容空間へ、フレキシブル基板の前部に形成された接続域が所定位置まで前方へ端子の接触部との接圧に抗して押入されて弾性接触及び保持される電気コネクタとフレキシブル基板との組立体において、
コネクタの端子は、接触部がフレキシブル基板の幅方向に配列された第一端子と、該第一端子よりもフレキシブル基板の押入方向後方で上記幅方向に配列された第二端子を有し、第一端子と第二端子が千鳥状をなすように上記幅方向で交互に配置されており、
フレキシブル基板は、上記所定位置にまで押入されたとき、第一端子と第二端子の各接触部とそれぞれ接触する第一パッドと第二パッドが配列して設けられており、隣接する第一パッドと第二パッドは前後方向でも幅方向でも重複して位置しており、第一パッドには該第一パッドより幅狭で後方に向け延びる第一後方配線部そして第二パッドには該第二パッドより幅狭で前後に延びる第二前方配線部と第二後方配線部がそれぞれ導通しており、
第一後方配線部は上記幅方向で第二パッドと隣接する部分を有し、第二前方配線部は上記幅方向で第一パッドに隣接するように位置しており、
第一端子の接触部の幅は、該第一端子の誘導部の幅より大きく第一パッドの幅より小さく設定されており、
第二端子の接触部の幅は、該第二端子の誘導部の幅より大きく第二パッドの幅より小さく、且つ、第二前方配線部の幅より大きく設定され、さらに、第二前方配線部と第一パッドとの間隔よりも大きく設定されていて、フレキシブル基板の端子に対しての最大幅方向ずれは、上記第二パッド上に位置する第二端子の接触部が該第二パッドの隣接する第一パッドの第一後方配線部から離れて位置し、
第二端子の接触部はパッド面と接触可能な接触面の両縁に曲面あるいは斜面を有し、フレキシブル基板が最大幅方向ずれのもとで、押入方向で第一パッドの位置にあるときに、第二端子の接触部は第二前方配線部と第一パッドにまたがって位置することを可能としていることを特徴とする電気コネクタとフレキシブル基板との組立体。
【請求項２】
第二端子の接触部は、第二前方配線部と第一パッドにまたがって位置しているときに、フレキシブル基板の母材面に対し非接触であることとする請求項１に記載の電気コネクタとフレキシブル基板との組立体。
【請求項３】
第一端子と第二端子の少なくとも一方は、フレキシブル基板をパッドが形成された表面側に位置する接触腕と裏面側に位置する押圧腕とを有し、接触腕と押圧腕の少なくとも一方が弾性腕として形成されていることとする請求項１に記載の電気コネクタとフレキシブル基板との組立体。
【請求項４】
ハウジングは、フレキシブル基板の最大幅方向ずれを定める幅方向規制部が設けられていることとする請求項１に記載の電気コネクタとフレキシブル基板との組立体。
【請求項５】
第一パッドに導通する第一後方配線部と第二パッドに導通する第二後方配線部は、第二パッドよりも後方で同じ幅であるとともに、第二パッドよりも狭く、前後方向で第二パッドの範囲における第一後方配線部よりも広いこととする請求項１に記載の電気コネクタとフレキシブル基板との組立体。
【請求項６】
フレキシブル基板が接続される電気コネクタが該フレキシブル基板を収容する収容空間を有し、
端子が上記収容空間内に配置され、フレキシブル基板と弾性接触する接触部を有し、上記収容空間へ、フレキシブル基板の前部に形成された接続域が所定位置まで前方へ端子の接触部との接圧に抗して押入されて弾性接触及び保持される電気コネクタとフレキシブル基板との組立体において、
コネクタの端子は、接触部がフレキシブル基板の幅方向に配列された第一端子と、該第一端子よりもフレキシブル基板の押入方向後方で上記幅方向に配列された第二端子を有し、第一端子と第二端子が千鳥状をなすように上記幅方向で交互に配置されており、
フレキシブル基板は、上記所定位置にまで押入されたとき、第一端子と第二端子の各接触部とそれぞれ接触する第一パッドと第二パッドが配列して設けられており、隣接する第一パッドと第二パッドは前後方向でも幅方向でも重複して位置しており、第一パッドには該第一パッドより幅狭で後方に向け延びる第一後方配線部そして第二パッドには該第二パッドより幅狭で前後に延びる第二前方配線部と第二後方配線部がそれぞれ導通しており、
第一後方配線部は上記幅方向で第二パッドと隣接する部分を有し、第二前方配線部は上記幅方向で第一パッドに隣接するように位置しており、
第一端子の接触部の幅は、第一パッドの幅より小さく設定されており、
第二端子の接触部の幅は、第二パッドの幅より小さく、且つ、第二前方配線部の幅より大きく設定され、さらに、第二前方配線部と第一パッドとの間隔よりも大きく設定されていて、フレキシブル基板の端子に対しての最大幅方向ずれは、上記第二パッド上に位置する第二端子の接触部が該第二パッドの隣接する第一パッドの第一後方配線部から離れて位置し、
第一パッドの前方に第一前方配線部が設けられており、第二前方配線部と同じ幅で形成されており、
第一前方配線部は各第一パッドに対して複数形成されていることを特徴とする電気コネクタとフレキシブル基板との組立体。
【発明の詳細な説明】
【技術分野】
【０００１】
本発明は、電気コネクタのフレキシブル基板用の収容空間へ、端子に設けられた接触部の接圧に抗してフレキシブル基板を押入し、該フレキブル基板が端子に接続及び保持されるＮｏｎ−ＺＩＦ（Non - Zero Insertion Force）形式の電気コネクタとフレキシブル基板との組立体に関する。
【背景技術】
【０００２】
この種の電気コネクタそしてフレキシブル基板は、特許文献１でその第３実施形態に開示されている。この特許文献１のコネクタは、ハウジングの後端面に開口し前方に向け奥部に至るスリット状の空間がハウジングに形成されていて、該空間へフレキシブル基板（ＦＰＣ）が挿入（押入）されるようになっている。上記空間を形成するハウジングの上内面には上端子がそして下内面には下端子がハウジングにより保持されていて、両面配線フレキシブル基板との接続へも適用可能としている。
【０００３】
使用に際しては、フレキシブル基板が上下の両端子との接触圧を伴った状態でフレキシブル基板の先端縁から両端子間へ挿入（押入）されるので、特許文献１では、フレキシブル基板の先端縁に設けられためっきリードを傷めないように、両端子ともに入口をＲ形状に形成して、フレキシブル基板の導入を円滑にしている。特許文献１では、両面配線フレキシブル基板については図示そして説明がないが、片面配線フレキシブル基板が特許文献１の図４に示されている。このフレキシブル基板はその一方の面に端子と接触するめっき部分（パッド）を設けていて、該パッドは、フレキシブル基板の先端縁に至近した位置に配列されたパッド列と、その後方に配列されたパッド列とを有している。両パッド列の各パッドはパッド配列方向で交互に位置している。したがって、このフレキシブル基板が接続されるコネクタは、このフレキシブル基板の一方の面で、各パッドに接触する端子が両パッド列に対応して二列に配置する形式のものとなる。
【０００４】
このような二列の端子を有するコネクタを特許文献１の第３実施形態の形式とすると、フレキシブル基板の一方の面の両パッド列に接触するための上端子が両パッドに対応して二列に設けられている必要がある。この場合でも、二列の上端子が入口をＲ形状としてパッドにつながるめっきリードを傷めないようにすることが考えられる。また、その際には、下端子がフレキシブル基板を下方から圧してフレキシブル基板と上端子の間に接触圧をもたらす押圧部材として機能することとなる。
【先行技術文献】
【特許文献】
【０００５】
【特許文献１】特開２００８−０１０３０８
【発明の概要】
【発明が解決しようとする課題】
【０００６】
特許文献１のコネクタの上端子を二列に配し押圧部材としての下端子でフレキシブル基板を圧する構造とし、これに特許文献１の図４に開示されているフレキシブル基板を接続しようとする場合、上端子の入口をＲ形状としても、その機能を発揮するのは、フレキシブル基板がパッドの配列方向たる幅方向において上端子に対し正規位置で押入されたときであり、上端子に対し上記幅方向で正規位置からずれて押入されるときには、上端子が上記幅方向でめっきリードからはみ出して位置し、その結果、フレキシブル基板の押入過程で、上端子はめっきリード上からフレキシブル基板の母材面に脱落してめっきリードの側縁部を削ってしまう、あるいは、母材面を削ってしまう削り現象を発生する可能性がある。この削り現象はフレキシブル基板の押入開始から完了時まで続いて生じ、フレキシブル基板の押入距離にわたりリード側縁部を、あるいは母材面を削ることとなり、接触不良の原因となる。
【０００７】
本発明は、このような削り現象が生じない電気コネクタとフレキシブル基板との組立体を提供することを課題とする。
【課題を解決するための手段】
【０００８】
本発明に係る電気コネクタとフレキシブル基板との組立体は、フレキシブル基板が接続される電気コネクタが該フレキシブル基板を収容する収容空間を有し、端子が上記収容空間内配置され、フレキシブル基板と弾性接触する接触部を有し、上記収容空間へ、フレキシブル基板の前部に形成された接続域が所定位置まで前方へ端子の接触部との接圧に抗して押入されて弾性接触及び保持される。
【０００９】
かかる電気コネクタとフレキシブル基板との組立体において、本発明は、次の＜第一発明＞及び＜第二発明＞のごとく構成される。
＜第一発明＞
フレキシブル基板が接続される電気コネクタがハウジングとハウジングに対し開閉可能な可動部材との間に該フレキシブル基板を収容する収容空間を有し、
板厚方向に屈曲した金属帯状部材製の端子が上記収容空間内に配置され、フレキシブル基板と弾性接触するためにフレキシブル基板に向け上記金属帯状部材の板厚方向でＶ字状に突出して屈曲した形状の接触部と、該接触部から先端に向けフレキシブル基板より離れる方向に傾斜して上記可動部材に形成された溝部に収容される誘導部とを有し、上記収容空間へ、フレキシブル基板の前部に形成された接続域が所定位置まで前方へ端子の接触部との接圧に抗して押入されて弾性接触及び保持される電気コネクタとフレキシブル基板との組立体において、
コネクタの端子は、接触部がフレキシブル基板の幅方向に配列された第一端子と、該第一端子よりもフレキシブル基板の押入方向後方で上記幅方向に配列された第二端子を有し、第一端子と第二端子が千鳥状をなすように上記幅方向で交互に配置されており、
フレキシブル基板は、上記所定位置にまで押入されたとき、第一端子と第二端子の各接触部とそれぞれ接触する第一パッドと第二パッドが配列して設けられており、隣接する第一パッドと第二パッドは前後方向でも幅方向でも重複して位置しており、第一パッドには該第一パッドより幅狭で後方に向け延びる第一後方配線部そして第二パッドには該第二パッドより幅狭で前後に延びる第二前方配線部と第二後方配線部がそれぞれ導通しており、
第一後方配線部は上記幅方向で第二パッドと隣接する部分を有し、第二前方配線部は上記幅方向で第一パッドに隣接するように位置しており、
第一端子の接触部の幅は、該第一端子の誘導部の幅より大きく第一パッドの幅より小さく設定されており、
第二端子の接触部の幅は、該第二端子の誘導部の幅より大きく第二パッドの幅より小さく、且つ、第二前方配線部の幅より大きく設定され、さらに、第二前方配線部と第一パッドとの間隔よりも大きく設定されていて、フレキシブル基板の端子に対しての最大幅方向ずれは、上記第二パッド上に位置する第二端子の接触部が該第二パッドの隣接する第一パッドの第一後方配線部から離れて位置し、
第二端子の接触部はパッド面と接触可能な接触面の両縁に曲面あるいは斜面を有し、フレキシブル基板が最大幅方向ずれのもとで、押入方向で第一パッドの位置にあるときに、第二端子の接触部は第二前方配線部と第一パッドにまたがって位置することを可能としていることを特徴とする電気コネクタとフレキシブル基板との組立体。
＜第二発明＞
コネクタの端子は、接触部がフレキシブル基板の幅方向に配列された第一端子と、該第一端子よりもフレキシブル基板の押入方向後方で上記幅方向に配列された第二端子を有し、第一端子と第二端子が千鳥状をなすように上記幅方向で交互に配置されており、フレキシブル基板は、上記所定位置にまで押入されたとき、第一端子と第二端子の各接触部とそれぞれ接触する第一パッドと第二パッドが配列して設けられており、隣接する第一パッドと第二パッドは前後方向でも幅方向でも重複して位置しており、第一パッドには該第一パッドより幅狭で後方に向け延びる第一後方配線部そして第二パッドには該第二パッドより幅狭で前後に延びる第二前方配線部と第二後方配線部がそれぞれ導通しており、第一後方配線部は上記幅方向で第二パッドと隣接する部分を有し、第二前方配線部は上記幅方向で第一パッドに隣接するように位置しており、第一端子の接触部の幅は、第一パッドの幅より小さく設定されており、第二端子の接触部の幅は、第二パッドの幅より小さく、且つ、第二前方配線部の幅より大きく設定され、さらに、第二前方配線部と第一パッドとの間隔よりも大きく設定されていて、フレキシブル基板の端子に対しての最大幅方向ずれは、上記第二パッド上に位置する第二端子の接触部が該第二パッドの隣接する第一パッドの第一後方配線部から離れて位置し、第一パッドの前方に第一前方配線部が設けられており、第二前方配線部と同じ幅で形成されており、第一前方配線部は各第一パッドに対して複数形成されていることを特徴としている。
【００１０】
このような構成の本発明によると、フレキシブル基板は、コネクタへの押入の当初から端子の接触部との接圧を受け、この接圧に抗して所定位置まで押入され、その押入過程での状況は、次の通りである。
【００１１】
＜幅方向で正規位置の場合＞
フレキシブル基板がその幅方向で端子に対して正規位置でコネクタへ押入される場合、コネクタの第一端子は第一パッドに対し、そして第二端子は第二パッドに対し、いずれも幅方向中央位置同士が一致して位置している。したがって、フレキシブル基板の押入が開始されると、フレキシブル基板の前端縁は、先ず第二端子の接触部と接圧をもって押入され、第二パッドにつながる第二前方配線部が上記接圧に抗して上記第二端子の接触部の位置を通過して、フレキシブル基板が所定位置まで押入されると、第二パッドが上記第二端子の接触部の位置へ到達する。フレキシブル基板が幅方向で端子に対して正規位置にあるのでフレキシブル基板の押入開始時から所定位置への押入完了まで、第二端子の接触部は、対応の第二前方配線部を経て第二パッドに接触して移動し、幅方向で隣接する第一パッドに接触することはない。
【００１２】
一方、上記第二端子の接触部よりも前方、すなわちフレキシブル基板の押入方向奥側に位置している第一端子の接触部は、押入方向での第二端子と第一端子の接触部同士間距離だけフレキシブル基板の押入が進んだ時点で、フレキシブル基板の前端縁を越えて第一パッド上に位置するようになる。その際、第一端子の接触部は、幅方向で、上記第一パッドに隣接する第二前方配線部と接触することはない。
【００１３】
＜幅方向でずれて位置している場合＞ 
フレキシブル基板がその幅方向で正規位置からずれコネクタへ押入される場合、最初にフレキシブル基板の前端縁と接圧をもつ第二端子の接触部は、このずれが大きいと、フレキシブル基板の押入開始時に、第二パッドから前方へ延びる第二前方配線部とこれに隣接する第一パッドとの両方にまたがる。すなわち、第二端子の接触部の幅は、第二前方配線部の幅よりも大きく、かつ第二前方配線部と第一パッドとの間隔より大きいので、上記幅方向ずれのもとでは、上記第二端子の接触部は該第二前方配線部から幅方向にはみ出し第二前方配線部と第一パッドにまたがるようになるのである。上記ずれがさらに大きい最大幅方向ずれ（許容最大値）のもとでは上記第二端子の接触部は該第二前方配線部から幅方向にはみ出し、第二前方配線部に隣接する第一パッド上に位置するようになる。したがって、第二端子の接触部は、該接触部の両側端部が上記押入過程で上記第二前方配線部及び第一パッド、又は隣接する第一パッドにより支持されるので、脱落してフレキシブル基板の母材面上に接するということはない。
【００１４】
さらにフレキシブル基板の押入が進行すると、第二端子の接触部は第二前方配線部から第二パッドへ移行する。第二パッドは第二端子の接触部に対して十分なる幅を有しているので、端子に対するフレキシブル基板の幅方向でのずれが上記最大幅方向ずれのもとでも、第二端子の接触部は上記第二パッドから幅方向で多少はみ出すことがあっても、十分な幅で第二パッドと接触して安定した姿勢で第二パッド上に位置する。このとき、第二端子の接触部は、第一パッドから後方に延びる第一後方配線部とは離間している。
【００１５】
次に、上記ずれが小さい場合には、第二端子の接触部は、第二パッドから延びる第二前方配線部上にあって該第二前方配線部に対して幅方向にずれていても隣接する第一パッド上には位置していない。この状態では、第二端子の接触部は第二前方配線部で安定する姿勢となるのに十分な幅をもって第二前方配線部上にあり、フレキシブル基板の押入の進行に伴い、第二パッド上に移行する。
【００１６】
一方、第二端子よりも遅れてフレキシブル基板の前端縁が押入される第一端子は、上記ずれの大小にかかわらず、当初から第一パッドのみに接するようにして第一パッド上へ位置する。かくして、第一端子そして第二端子のそれぞれの接触部は安定した姿勢で対応する第一パッドそして第二パッドへ移行するようになり、押入過程で、フレキシブル基板の第一パッド以降の狭い幅で露出している母材面上へは脱落することがなく、削り現象を生ずることがない。
【００１７】
本発明において、第二端子の接触部はパッド面と接触可能な接触面の両縁に破断面を避けて形成された曲面あるいは斜面を有し、フレキシブル基板が最大幅方向ずれのもとで、押入方向で第一パッドの位置にあるときに、第二端子の接触部は第二前方配線部と第一パッドにまたがって位置することを可能としている形態としてもよい。この場合、上記曲面あるいは斜面が、第二前方配線部と第一パッドにまたがって位置する。第二端子が上記曲面あるいは斜面を有する場合、第二端子の接触部は、第二前方配線部と第一パッドにまたがって位置しているときに、フレキシブル基板の母材面に対し非接触であることが好ましい。この状態では、第二端子の接触部は、フレキシブル基板の押入過程で、第一パッド以降のフレキシブル基板の母材面を損傷させることがなくなる。
【００１８】
本発明において、第一パッドの前方に第一前方配線部が設けられており、第二前方配線部と同じ幅で形成されているようにすることができる。この場合は、第一端子の接触部は上記第一前方配線部を経て第一パッドへ移行する。第一前方配線部は、各第一パッドに対して単一線として形成されることも、複数形成されているようにすることもできる。複数形成される場合、上記端子のずれが大きくともフレキシブル基板の前端縁にて、いずれかの第一前方配線部と第二前方配線部にまたがって接触する可能性がきわめて大きくなる。
【００１９】
本発明において、第一端子と第二端子の少なくとも一方は、フレキシブル基板をパッドが形成された表面側に位置する接触腕と裏面側に位置する押圧腕とを有し、接触腕と押圧腕の少なくとも一方が弾性腕として形成されているようにすることができる。
【００２０】
さらに、本発明では、ハウジングは、フレキシブル基板の最大幅方向ずれを定める幅方向規制部が設けられていることが好ましい。
【００２１】
本発明において、第一パッドに導通する第一後方配線部と第二パッドに導通する第二後方配線部は、第二パッドよりも後方で同じ幅であるとともに、第二パッドよりも狭く、前後方向で第二パッドの範囲における第一後方配線部よりも広いようにすることができる。
【発明の効果】
【００２２】
本発明は、以上のように、第一端子と第二端子の両端子とも、フレキシブル基板が幅方向で端子に対してずれて位置していても、その所定位置までの押入過程において、パッドと配線部にまたがっていて安定姿勢をとっているか、あるいは配線部に対して十分な幅で接して位置していて安定姿勢をとるようにしたので、上記押入過程において、パッドや配線部から脱落したりあるいは傾斜したりすることがなく、削り現象を生ずることがなくなる。
【図面の簡単な説明】
【００２３】
【図１】本発明の一実施形態としての電気コネクタとフレキシブル基板との組立体を示す部分破断斜視図であり、（Ａ）は第一端子の位置での断面、（Ｂ）は第二端子の位置で破断されている。
【図２】端子を示す斜視図であり、（Ａ）は第一端子、（Ｂ）は第二端子を示している。
【図３】フレキシブル基板の接続部を含む前部を示す斜視図である。
【図４】フレキシブル基板をコネクタへ押入する過程を示す斜視図で、（Ａ）は押入開始時、（Ｂ）は押入途中、（Ｃ）は押入完了時を示している。
【図５】フレキシブル基板が幅方向で正規位置にあって、フレキシブル基板の押入過程でのパッドと端子の接触部との位置関係を平面図として簡略的に示し、（Ａ）が押入開始時、（Ｂ），（Ｃ）が押入途中、（Ｄ）が押入完了時である。
【図６】フレキシブル基板が幅方向でずれて位置している場合であって、フレキシブル基板の押入過程でのパッドと端子の接触部との位置関係を平面図として簡略的に示し、（Ａ）が押入開始時、（Ｂ），（Ｂ'），（Ｃ）が押入途中、（Ｄ）が押入完了時である。
【図７】第二端子の接触部における側方縁部の形状についての変形例であり、（Ａ）〜（Ｂ）はパッドに対しての異なる接触状態を示している。
【図８】フレキシブル基板についての変形例を示す部分平面図である。
【発明を実施するための形態】
【００２４】
以下、添付図面にもとづき、本発明の実施の形態を説明する。
【００２５】
図１（Ａ），（Ｂ）は、本実施形態における電気コネクタ１０とフレキシブル基板４０とを、該フレキシブル基板４０が電気コネクタ１０に接続された状態で示す断面斜視図である。電気コネクタ１０は、ハウジング１１により第一端子２０と第二端子３０の二種の端子が交互に位置するよう配列されており、図１（Ａ）は第一端子２０の位置で、そして図１（Ｂ）は第二端子３０の位置での断面として示している。
【００２６】
ハウジング１１は、電気絶縁材料で作られていてハウジング本体１２と開閉可能な蓋状の可動部材１３とを有し、フレキシブル基板４０の前部（図１（Ａ）にて右部）に形成された接続域の部分が前方へ向け押入されるための収容空間１４が、上記ハウジング本体１２と閉位置における可動部材１３との間に、後方に開口して形成されている。
【００２７】
ハウジング本体１２は、図１（Ａ）に見られるように、後端側で第一端子２０の後部を、そして前端側で第二端子３０の前部をそれぞれハウジング本体１２との一体モールド成形により保持している。第一端子２０と第二端子３０については、後に詳述する。上記ハウジング本体１２は、図１（Ａ），（Ｂ）に見られるように、端子配列方向で第一端子２０と第二端子３０の間には前後方向の中間部分で、上下に貫通したスリット状の窓部１２Ａが形成されている。
【００２８】
ハウジング本体１２には、その幅方向（端子配列方向）の両端に側壁１５が設けられている。該側壁１５は、後部にフレキシブル基板４０に対する上方規制部１６、そのすぐ前方の中間部に可動部材１３の回動軸を回転支持する軸支部１７が設けられている。また、該軸支部１７よりも前方となる前部には、上記側壁１５の内側面と間隔をもった位置に、ハウジング本体１２の底壁から垂立してフレキシブル基板４０の幅方向位置を規制する幅方向規制部１８が設けられている。
【００２９】
上記幅方向規制部１８は、フレキシブル基板４０がコネクタ１０に所定位置にまで押入されたときに該フレキシブル基板４０の前端部の側縁に当接して該フレキシブル基板４０の幅方向位置を正規位置に対して所定範囲に収めるように該フレキシブル基板４０を規制する。これに対して、上記上方規制部１６は、その下部に後方そして幅方向内側に開口する溝部１６Ａが形成されていて、所定位置まで押入されたフレキシブル基板４０の対応する上方被規制部の上面を上記溝部１６Ａの下面で受けて該フレキシブル基板４０の上方への移動を規制する。フレキシブル基板４０については後に詳述する。
【００３０】
上記ハウジング本体１２の軸支部１７ で回動可能に支持される可動部材１３は、板状をなし、後端近傍で側方へ突出する軸部１３Ａを有し、上記ハウジング本体１２の軸支部１７で回動可能に支持されている。該可動部材１３は、その後端は、既述のごとくハウジング本体１２の上方規制部１６よりも直ぐ前方に位置しており、ハウジング本体１２の両方の側壁１５の間でかつ上記上方規制部１６よりも前方の範囲で該ハウジング本体１２を上方から覆い、前端は該ハウジング本体１２よりも前方に突出して位置している。
【００３１】
上記可動部材１３の後端が上記上方規制部１６よりも前方に位置しているので、ハウジング本体１２は可動部材１３よりも後方で該可動部材１３により覆われない延出部分を有するようになる。該延出部分は、フレキシブル基板４０の前部がコネクタへの押入開始に備えて配置されるための面を提供することとなる。
【００３２】
上記可動部材１３は、上記軸部１３Ａが位置する後端における縁部が丸味をもった形状となっていて、上記ハウジング本体１２の延出部分上に配されたフレキシブル基板４０を、その押入に先立ち、上記収容空間内１４へ向け円滑に進入できるようにしている。可動部材１３は、その前端縁が上記ハウジング本体１２の前端よりも突出していて、該可動部材１３を開位置に向け上方へ回動する際に、もち上げを容易とする操作部１３Ｂを有している。また、上記操作部１３Ｂでのもち上げにより軸部１３Ａを中心として該可動部材１３が開位置へ向け上方に回動した後に再び図１に見られる閉位置へ向け下方に回動する際、ハウジング本体１２の側壁１５により案内される被案内部１３Ｃが可動部材１３の前端側部から後方に向け腕状に形成されている。該被案内部１３Ｃは上記ハウジング本体１２の側壁１５と幅方向規制部１８との間に進入して案内される。
【００３３】
さらに、上記可動部材１３は、該可動部材１３の側部の裏面（図１にて下面）側で、前部から後方に延びる腕状の弾性係止部１３Ｆが設けられている。該弾性係止部１３Ｆはその後端に下方へ向けた突起状の係止部１３Ｇが設けられていて、可動部材１３が閉位置にあるときに、後述のフレキシブル基板が押入された際に該フレキシブル基板の前端で上記係止部に当接して弾性係止部１３Ｆを上方に弾性変形させることで係止部を越えてさらに前進し、弾性係止部１３Ｆの弾性変形が解除されると、フレキシブル基板に形成された凹状の被係止部に上記係止部が入り込むようになり、フレキシブル基板の後方への抜けを防止するようになる。
【００３４】
さらに、上記可動部材１３は、丸味をもった後端の縁部に、後述の端子２０，３０の後端が進入する溝部１３Ｄ，１３Ｅが該端子２０，３０の後端形状に適合して形成されている。この溝部１３Ｄ，１３Ｅは、可動部材１３が開位置と閉位置の間を回動する際に上記端子２０，３０の後端が回動に支障をもたらさないように該端子２０，３０の後端を収めている。また、上記可動部材１３は、その裏面に、該可動部材１３が閉位置にあるときに、上記端子２０，３０の上腕部２１,３１を 覆っている。
【００３５】
第一端子２０は、図２（Ａ）に見られるように、金属帯状部材を板厚方向に屈曲して作られ、ヘアピン状で略横Ｕ字形状をなしていて、上腕部２１と、該上腕部２１の前端位置で屈曲された屈曲部２２と、該屈曲部２２を経て上記上腕部２１と連結され後方へ延びる下腕部２３とを有している。上腕部２１は、その前後方向の中間で、後述する第二端子３０の接触部３１Ａよりも前方の位置に、下方に向けＶ字状に突出する接触部２１Ａが形成されている。この上腕部２１は、上下方向すなわち板厚方向で弾性撓み可能となっており、上記接触部２１Ａが接圧をもって後述のフレキシブル基板４０の対応パッドに弾性接触し、また、上記接触部２１Ａよりも後方部分が上方にもち上がるように傾斜した誘導部２１Ｂを有していて、該誘導部２１Ｂでフレキシブル基板４０の導入を容易としている。一方、下腕部２３は、前後方向で、上記上腕部２１よりも大きく後方へ延びていて、ハウジング本体１２の後端縁よりも後方位置にまで達している。該下腕部２３の後端部は傾斜部分を経て下方に位置する接続部２３Ａが形成されている。該接続部２３Ａは回路基板（図示せず）の対応回路部との半田接続に供する。かかる第二端子３０は、上記下腕部２３の後部であって上記傾斜部分に隣接する部分で、一体成形されるハウジング本体１２により保持される。
【００３６】
第二端子３０は、図２（Ｂ）に見られるように、第一端子２０と同様に金属帯状部材を板厚方向に屈曲して作られ、略クランク状をなしていて、上腕部３１と、その前端（図にて右端）から下方に向かう屈曲部３２と、該屈曲部３２の下端から前方へ延出する接続部３３とを有している。上腕部３１は、その後端側で下方に向けＶ字状に突出する接触部３１Ａを有している。該接触部３１Ａを有している上腕部３１は、第一端子２０の上腕部２１と同様に、上下方向すなわち板厚方向で弾性撓み可能となっており、上記接触部３１Ａが接圧をもって後述のフレキシブル基板４０の対応パッドに弾性接触する。また、上記上腕部３１は、上記接触部３１Ａよりも後方部分が上方にもち上がるように傾斜した誘導部３１Ｂを有していて、該誘導部３１Ｂでフレキシブル基板の導入を容易としている。一方、接続部３３は、ハウジング本体１２の下面側でハウジング本体１２外に延出していて回路基板（図示せず）の対応回路部との半田接続に供する。かかる第二端子３０は、上記屈曲部３２の部分で、一体成形されるハウジング本体１２により保持される。
【００３７】
上記第一端子２０の上腕部２１は下腕部２３よりも幅狭にそして、第二端子３０の上腕部３１は屈曲部３２や接続部３３よりも幅狭になっており、第一端子２０の接触部２１Ａも第二端子３０の接触部３１Ａも上記傾斜部分よりも幅広に形成され、更に側縁に曲面加工されているが、後述するフレキシブル基板４０の対応パッドの幅よりも狭く、幅方向で正規位置でフレキシブル基板と接続されたときには、上記接触部２１Ａも接触部３１Ａも幅方向で対応パッドに十分収まって位置するようになる。上記接触部２１Ａそして接触部３１Ａは、図２（Ａ），（Ｂ）に見られるように、両側縁に曲面あるいは斜面２１Ａ−１，３１Ａ−１が形成されていることが好ましい。
【００３８】
図１（Ａ），（Ｂ）における第一端子２０の接触部２１Ａそして第二端子３０の接触部３１Ａから接圧を受けながら、該接圧に抗して接続域Ｐがコネクタの収容空間１４内へ押入されるフレキシブル基板４０は、図３のごとく、第一端子２０そして第二端子３０と接触接続される接続域Ｐが前端縁に沿って配列された第一パッド４１の群と、その後方に配列された第二パッド４２の群とを有しており、第一パッド４１と第二パッド４２とはそれぞれのパッドの幅が前後方向で見て重複するように配されていて千鳥状配置をなしている。第一パッド４１は第一端子２０の接触部２１Ａと、第二パッド４２は第二端子３０の接触部３１Ａとそれぞれ幅方向で一致した位置にあり、さらに第一パッド４１と第二パッド４２は前後方向で上記接触部２１Ａと接触部３１Ａとの間の距離に対応した距離だけ離れて位置しており、第一パッド４１の後端部と第二パッド４２の前端部は前後方向でほぼ同一位置にある。かかる第一パッド４１と第二パッド４２が配された領域で、フレキシブル基板４０がコネクタ１０との接続のための接続域Ｐを形成する。
【００３９】
第一パッド４１そして第二パッド４２は、前方そして後方に延びる配線部がそれぞれ導通して設けられている。該配線部は対応するパッドよりも幅狭である。先ず、フレキシブル基板４０の前端縁近くに配列された第一パッド４１には、該第一パッド４１から該フレキシブル基板４０の前端縁までの短い距離で前方へ延びる第一前方配線部４１Ａと、該第一パッド４１の後端から後方へ長く延びる第一後方配線部４１Ｂとが導通して設けられている。該第一後方配線部４１Ｂは、第一パッド４１の後方位置で隣接している二つの第二パッド４２の間を通って後方に延びていて、前後方向で第二パッド４２の範囲では、第二パッド４２よりも後方の部分に対し幅狭な狭隘部４１Ｂ−１として形成されている。次に、第二パッド４２には、隣接する二つの第一パッド４１の間を通ってフレキシブル基板４０の前端縁にまで延びる第二前方配線部４２Ａと、該第二パッド４２の後端から後方へ長く延びる第二後方配線部４２Ｂとが導通して設けられている。第二前方配線部４２Ａは、上記狭隘部４１Ｂ−１と同じ幅となっており、第二後方配線部４２Ｂは、上記狭隘部４１Ｂ−１より後方に延びる第一後方配線部４１Ｂの後部における幅と同じ幅となっている。
【００４０】
上記第一後方配線部４１Ｂと第二後方配線部４２Ｂは、いずれも、フレキシブル基板４０の接続域Ｐより後方に位置する対応配線と導通している。この対応配線はフレキシブル基板４０の内層に位置しており、図には表れていない。
【００４１】
かかるフレキシブル基板４０は、前後方向で、上記第一パッド４１そして第二パッド４２が設けられている接続域Ｐとさらにその後方にまで及ぶ範囲で、該フレキシブル基板４０の裏面側（図１、図３にて下面側）に補強板４３が貼付されている。
【００４２】
図３に見られるように、フレキシブル基板４０は、上記補強板４３が貼付されている範囲で側縁部に凹状の被係止部４４と三角翼状の上方被規制部４５とを有している。上記被係止部４４は、可動部材１３が閉位置にあるときに、フレキシブル基板４０がコネクタ１０へ所定位置まで押入された際に、既述の可動部材１３に設けられた弾性係止部１３Ｆの後端で下方に向けて突出する係止部１３Ｇに対応して位置しており、該係止部が上記被係止部４４内に進入してフレキシブル基板４０の後方への抜出を阻止するようになる。上記被係止部４４よりも前方部分の側縁は、フレキシブル基板４０のコネクタ１０への押入時における該フレキシブル基板４０の幅方向位置が規制される幅方向被規制部４６を形成する。一方、上方被規制部４５は、前縁を傾斜縁そして後縁を幅方向に延びる直角縁とした三角翼状をなしており、フレキシブル基板４０が所定位置まで押入された際に、既述のハウジング本体１２に設けられた上方規制部１６の下方に形成された溝部１６Ａ内に位置するように設けられている。かくして、所定位置まで押入されたフレキシブル基板は、上記被係止部４４が可動部材１３の係止部１３Ｇと係止することで抜出が阻止され、また上方被規制部４５が上記溝部１６Ａ内にあって、フレキシブル基板４０がコネクタ外の後方位置でもち上げられる外力を受けても、上方規制部１６の下面で上方へのもち上げが阻止される。
【００４３】
このように形成されるフレキシブル基板４０に対して第一端子２０そして第二端子３０は幅方向での寸法同士が次のごとくの関係を有している。すなわち、第一端子２０の接触部２１Ａの幅は、第一パッド４１の幅より小さく設定されており、第二端子３０の接触部３１Ａの幅は、第二パッド４２の幅より小さく、且つ、第二前方配線部４２Ａの幅より大きく設定され、さらに、第二前方配線部４２Ａと第一パッド４１との間隔よりも大きく設定されている。さらには、第一端子２０そして第二端子３０に対しフレキシブル基板４０が押入される際に許容される最大幅方向のずれは、上記第二パッド４２上に位置する第二端子３０の接触部３１Ａが該第二パッド４２の隣接する第一パッド４１の第一後方配線部４１Ｂから離れて位置する範囲である。
【００４４】
このような形態の本発明の電気コネクタとフレキシブル基板との組立体について、フレキシブル基板４０を電気コネクタ１０へ押入して接続する際の手順及びその状況について図４ないし図６を参照しつつ説明する。なお図５，６では、第一端子２０の接触部２１Ａと第二端子３０の接触部３１Ａは対応パッドとの接触位置及び範囲のみで示されている。
【００４５】
フレキシブル基板４０の接続に先立ち、電気コネクタ１０はその可動部材１３が閉位置にあり、かかる状態の電気コネクタ１０へのフレキシブル基板４０の押入が、図４（Ａ）〜（Ｃ）に見られるように、進められる。
【００４６】
図４（Ａ）は押入開始時、図４（Ｂ）は押入途中そして図４（Ｃ）は所定位置までの押入終了時をそれぞれ示している。本実施形態では、可動部材１３の開閉によっても端子
２０，３０の位置そして状態が変わらず、フレキシブル基板４０はコネクタへの押入開始時から端子２０，３０の接触部２１Ａ，３１Ａから接圧を受けており、この接圧に抗して押入が進められる。以下、フレキシブル基板４０がコネクタに対しその幅方向で正規位置にあって押入される場合と、幅方向で正規位置からずれた状態で押入される場合とに別けて説明する。
【００４７】
＜幅方向で正規位置の場合＞
コネクタとフレキシブル基板の両方ともに、正規の精度で作られている場合である。フレキシブル基板４０は、コネクタへの所定位置までの押入過程で、該フレキシブル基板４０の前端部側縁で形成される幅方向被規制部４６がハウジング本体１２の幅方向規制部１８に押入案内される際に幅方向での規制を受ける。こうしてフレキシブル基板４０は、所定位置まで押入されたときには、コネクタに対する幅方向相対位置が正規位置といえる状態となる。なお、図５は、この幅方向で正規位置にあるフレキシブル基板４０の押入過程を示しているが、端子２０，３０の接触部２１Ａ，３１Ａとフレキシブル基板４０のパッド４１，４２との位置関係を主として図示し、上記幅方向規制部１８と幅方向被規制部４６との関係は簡略化して図示している。
【００４８】
このように、フレキシブル基板４０がコネクタ１０に対し幅方向で正規位置にあると、フレキシブル基板４０が第一端子２０、第二端子３０と接圧を持ったコネクタへの押入が開始される直前にあっては、図５（Ａ）に見られるごとく、コネクタ１０の第一端子２０の接触部２１Ａは第一パッド４１に対し、そして第二端子３０の接触部３１Ａは第二パッド４２に対し、いずれも幅方向中央位置同士が一致して位置している（図５（Ａ）参照）。かくして、フレキシブル基板４０の押入が開始されると、フレキシブル基板４０の前端縁は、先ず第二端子３０の接触部３１Ａと接圧をもって押入され、第二パッド４２につながる第二前方配線部４２Ａが上記接圧に抗して上記第二端子３０の接触部３１Ａの位置を通過する（図５（Ｂ）及び図５（Ｃ）参照）。こうして、フレキシブル基板４０が所定位置まで押入されると、第二パッド４２が上記第二端子３０の接触部３１Ａの位置へ到達する。フレキシブル基板４０が幅方向で端子（すなわち、第一端子２０そして第二端子３０）に対して正規位置にあるのでフレキシブル基板４０の押入開始時から所定位置への押入完了まで、第二端子３０の接触部３１Ａは、対応の第二前方配線部４２Ａを経て第二パッド４２に接触して移動し、幅方向で隣接する第一パッド４１に接触することはないし、母材上に脱落することもない。
【００４９】
一方、上記第二端子３０の接触部３１Ａよりも前方、すなわちフレキシブル基板４０の押入方向奥側に位置している第一端子２０の接触部２１Ａは、押入方向での第二端子３０の接触部３１Ａと第一端子２０の接触部２１Ａとの距離だけフレキシブル基板４０の押入が進んだ時点で、フレキシブル基板４０の前端縁を越えて第一パッド４１上に位置するようになる（図５（Ｃ），（Ｄ）参照）。その際、第一端子２０の接触部２１Ａは、幅方向で、上記第一パッド４１に隣接する第二前方配線部４２Ａと接触することはないし、母材上に脱落することもない。
【００５０】
次に、正規位置と言える範囲で上記ずれが小さい場合には、第二端子３０の接触部３１Ａは、第二パッド４２から延びる第二前方配線部４２Ａ上にあって該第二前方配線部４２Ａに対して幅方向にずれていても隣接する第一パッド４１上には位置していない。この状態では、第二端子３０の接触部３１Ａは第二前方配線部４２Ａで安定する姿勢となるのに十分な幅をもって第二前方配線部４２Ａ上にあり、フレキシブル基板４０の押入の進行に伴い、第二パッド４２上に移行する。
【００５１】
＜幅方向でずれて位置している場合＞ 
コネクタとフレキシブル基板のいずれかが正規寸法から外れていて、フレキシブル基板がその幅方向規制部でハウジングの幅方向規制部により幅方向で規制されても、端子とパッドが正規位置から幅方向で相対的にずれる場合がある。また、フレキシブル基板が幅方向斜めに傾いた状態で挿入される場合もある。もちろん、そのずれにも限度があり本発明により対応できる許容範囲に入っていることが前提となる。
【００５２】
このように、フレキシブル基板４０がその幅方向で正規位置からずれてコネクタ１０へ押入される場合（図６（Ａ）参照）、最初にフキシブル基板４０の前端縁と接圧をもつ第二端子３０の接触部３１Ａは、このずれが大きいと、図６（Ｂ）のごとく、フレキシブル基板４０の押入開始時に、第二パッド４２から前方へ延びる第二前方配線部４１Ａとこれに隣接する第一パッド４１との両方にまたがる 。すなわち、第二端子３０の接触部３１Ａの幅は、第二前方配線部４２Ａの幅よりも大きく、かつ第二前方配線部４２Ａと第一パッド４１との間隔より大きいので、上記幅方向ずれのもとでは、上記第二端子３０の接触部３１Ａは該第二前方配線部４２Ａから幅方向にはみ出し第二前方配線部４２Ａと第一パッド４１にまたがるようになるのである。上記ずれがさらに大きい最大幅方向ずれ（許容最大値）のもとでは上記第二端子３０の接触部３１Ａは該第二前方配線部４２Ａから幅方向にはみ出し、第二前方配線部４２Ａに隣接する第一パッド４１上に位置するようになる（図６（Ｂ‘）参照）。したがって、第二端子３０の接触部３１Ａは、該接触部３１Ａの両側端部が上記押入過程で上記第二前方配線部４２Ａ及び第一パッド４１、又は隣接する第一パッド４１により支持されるので、脱落してフレキシブル基板４０の母材面上に接するということはない。
【００５３】
さらにフレキシブル基板４０の押入が進行すると、第二端子３０の接触部３１Ａは図６（Ｃ）と（Ｄ)に見られるように、第二前方配線部４２Ａと第一パッドにまたがった状態から、或いは、第一パッドから第二パッド４２へ移行する。第二パッド４２は第二端子３０の接触部３１Ａに対して十分なる幅を有しているので、端子２０，３０に対するフレキシブル基板４０の幅方向でのずれが上記最大幅方向ずれのもとでも、第二端子３０の接触部３１Ａは上記第二パッド４２から幅方向で多少はみ出すことがあっても、十分な幅で第二パッド４２と接触して安定した姿勢で第二パッド４２上に位置する。このとき、第二端子３０の接触部３１Ａは、第一パッド４１から後方に延びる第一後方配線部４１Ｂとは離間している。
【００５４】
一方、第二端子３０よりも遅れてフレキシブル基板４０の前端縁が押入される第一端子２０は、上記ずれの大小にかかわらず、当初から第一パッド４１のみに接するようにして第一パッド４１上へ位置する。かくして、第一端子２０そして第二端子３０のそれぞれの接触部２１Ａ，３１Ａは安定した姿勢で対応する第一パッド４１そして第二パッド４２へ移行するようになり、押入過程で、フレキシブル基板４０の母材面上へは脱落することがなく、第一そして第二パッド４１，４２、さらには第一後方配線部４１Ｂそして第二前方配線部４２Ａの側縁角部等で削り現象を生ずることがない。
【００５５】
本実施形態において、第二端子３０の接触部３１Ａは、図７（Ａ ）〜（Ｂ）に見られるごとく、第二パッド面（図示せず）と接触可能な接触面の両縁に曲面３１Ａ−１あるいはそれとともに斜面３１Ａ−２を有し、フレキシブル基板４０が最大幅方向ずれのもとで、押入方向で第一パッド４１の位置にあるときに、第二端子３０の接触部３１Ａは第二前方配線部４２Ａと第一パッド４１にまたがって位置することを可能としている形態としてもよい。この場合、上記曲面３１Ａ−１あるいは斜面３１Ａ−２が、第二前方配線部４２Ａと第一パッド４１にまたがって位置する。第二端子３０が上記曲面３１Ａ−１あるいは斜面３１Ａ−２を有する場合、第二端子３０の接触部３１Ａは、第二前方配線部４２Ａと第一パッド４１にまたがって位置しているときに、フレキシブル基板４０の母材面に対し非接触であることが好ましい。この状態では、第二端子３０の接触部３１Ａは、フレキシブル基板４０の押入過程で、フレキシブル基板４０の母材面を損傷させることがなくなる。
【００５６】
本発明においては、第二パッド４２に対する第二端子３０の接触部３１Ａの最大幅方向ずれは該接触部３１Ａの接触面の幅の３／４である。最大幅方向ずれが上記第二端子３０の接触部３１Ａの幅の３／４よりも大きいと、フレキシブル基板４０の押入の際、該第二端子３０の接触部３１Ａと当接する押入開始時に、上記接触部３１Ａが第二前方配線部４２Ａから外れたり、押入完了時に第二パッド４２から大幅に外れて不安定となり、あるいは第一後方配線部４１Ｂと接触してしまい不都合を招くからである。
【００５７】
本発明においては、端子の形状を図示の例とは異なるものとすることができ、例えば、第一端子２０と第二端子３０の少なくとも一方は、フレキシブル基板４０をパッドが形成された表面側に位置する接触腕と裏面側に位置する押圧腕とを有し、接触腕と押圧腕の少なくとも一方が弾性腕として形成されているようにすることができる。
【００５８】
本発明において、フレキシブル基板に関し、改善が可能である。図３に示されるフレキシブル基板４０では、該フレキシブル基板４０の前端縁には、第一前方配線部４１Ａと第二前方配線部４２Ａが位置している。第一前方配線部４１Ａと第二前方配線部４２Ａの両者ともにパッドに比し幅方向が狭いので、両者の間隔は広くなる。したがって、図３の場合には端子とフレキシブル基板との幅方向ずれが大きいと、端子がフレキシブル基板の前端縁に位置したときに、端子は両者のうちの一方から外れてしまい、フレキシブル基板の母材面を削る危険性がある。そこで、本発明の変形例を示す図８に見られるように、上記先端縁までの距離が短い第一パッド４１の第一前方配線部４１Ａを複数、例えば二本設けることで上記危険性を回避できる。図８の例では、第一パッド４１の幅方向両端でそれぞれ前方へ延びる第一前方配線部４１Ａが設けられていて、二つの第一前方配線部を有している。その結果、第一端子２０の接触部２１Ａが、幅方向で正規位置Ｐの場合は両方の第一前方配線部４１Ａにまたがり、第一端子２０の接触部２１Ａあるいは第二端子３０の接触部３１Ａが幅方向で最大ずれ位置Ｑの場合は第一前方配線部４１Ａに乗るようになる。かくして、端子はフレキシブル基板の前端縁の位置にあってもフレキシブル基板の母材面を削ることがない。
【符号の説明】
【００５９】
１０  電気コネクタ                    ４１  第一パッド
１８  幅方向規制部                    ４１Ａ  第一前方配線部
２０  第一端子                        ４１Ｂ  第一後方配線部
２１Ａ  接触部                        ４２  第二パッド
３０  第二端子                        ４２Ａ  第二前方配線部
３１Ａ  接触部                        ４２Ｂ  第二後方配線部
４０  フレキシブル基板
【図１】
0006656808.tif 000002
【図２】
0006656808.tif 000003
【図３】
0006656808.tif 000004
【図４】
0006656808.tif 000005
【図５】
0006656808.tif 000006
【図６】
0006656808.tif 000007
【図７】
0006656808.tif 000008
【図８】
0006656808.tif 000009